(57)【要約】意匠性発光装置１，５１は、発光表面２ａが文字、図形、または模様を表す形状若しくはこれらの逆形状に形成されて光を拡散する光拡散意匠部２，５２と、筐体４を有している。前記光拡散意匠部２，５２は、発光表面２ａより裏面２ｃの面積が小さくなるように側面に傾斜面２ｂ若しくは湾曲面２ｈを備えている。前記意匠性発光装置１，５１は、さらに、前記光拡散意匠部２，５２を前記筐体４に対して厚み方向へ移動可能に支持するネジ３，２８および弾性部２０を有している。
2015173845.tif 000002
【特許請求の範囲】
【請求項１】
発光表面が文字、図形、または模様を表す形状若しくはこれらの逆形状に形成されて光を拡散する光拡散意匠部と、前記光拡散意匠部に前記発光表面の裏側から光を照射する光源と、前記光拡散意匠部と前記光源を支持する筐体とを備え、前記光拡散意匠部は、前記発光表面より裏面の面積が小さくなるように側面に傾斜部若しくは湾曲部を備え、前記光拡散意匠部を前記筐体に対して厚み方向へ移動可能に支持する支持部を設けた意匠性発光装置。
【請求項２】
前記支持部は、前記光拡散意匠部を前記発光表面から前記筐体の奥部へ向かって引きつける弾性部を有する請求項１記載の意匠性発光装置。
【請求項３】
前記光拡散意匠部の側面に設けられた傾斜部若しくは湾曲部は、同一角度で前記光拡散意匠部の周方向へ連続して設けられている請求項１または２記載の意匠性発光装置。
【請求項４】
前記筐体は、前記奥部と側部を有して前記発光表面側を開口した形状であり、前記開口の内周の大きさが、前記光拡散意匠部の裏面より大きく、かつ、前記発光表面より小さいか同じ大きさに形成されている請求項１、２または３記載の意匠性発光装置。 
【発明の詳細な説明】
【技術分野】
【０００１】  この発明は、例えば店名やロゴの照明サインや照明広告等に利用されるような意匠性発光装置に関する。
【背景技術】
【０００２】  従来、店名やロゴを明るく表示する照明サインや照明広告と呼ばれるような意匠性発光装置が提供されている。このような意匠性発光装置は、光源の光を前面パネルで拡散して拡散光を放出し、店名やロゴ等の意匠を明るく表示するものである。この意匠性発光装置は、視認性が高く美しいことから、ブランドの店舗の正面や入口でブランド名を表示するなど、様々な場所で利用されている。【０００３】  このような意匠性発光装置は、従来のネオンサインから始まって、近年のＬＥＤを用いたＬＥＤサインまで変化してきており、様々な意匠性が求められている。【０００４】  このような意匠性発光装置は、特許文献１の図４に示されるように、文字形状等に形成された拡散板等（表示部２１）が筐体の正面に置かれ、この拡散板の縁を正面側から一定幅で押さえるカバー筐体（前枠部２３）がかぶせられるのが一般的である。この形状には、拡散板の縁部分に必ず金属等（前枠部２３）による不透光部分が発生するという特徴がある。【０００５】  ここで、このカバー筐体を無くして拡散板の発光表面に縁部分がかからないようにすれば、縁が無いか縁が少ない美しい意匠性発光装置となる。また、この意匠性発光装置を左右逆等の逆形状に形成して表裏反転して設置し、背面側（設置面側）に拡散板、正面側（視認面側）に筐体が位置するようにすれば、設置面に向かって拡散板から光が照射されて筐体の周囲が発光して見える美しい意匠性発光装置となる。【０００６】  ここで、意匠性発光装置は、筐体が金属製素材で形成され、拡散板は樹脂素材で形成される。金属製素材は太陽光と光源の熱や気温変化による伸縮が殆ど無いが、樹脂素材は太陽光と光源の熱や気温変化によって伸縮が生じる。このため、拡散板の側辺と筐体側部内面とを当接させて意匠性発光装置を製造すると、熱による拡散板の伸縮によって筐体の変形、あるいは筐体や拡散板の破損という問題が生じる。このため、拡散板の側辺と筐体側部内面との間には、隙間を空けておく必要がある。【０００７】  このように隙間が大きくなると、埃や塵が筐体内部に入りやすくなるという問題があった。    また、正面側（視認面側）に拡散板を配置してカバー筐体を無くした場合、この隙間が利用者に見えてしまうために、美観が損なわれる上に、隙間から光源の直接光が漏えいして正面からの発光の均一性も損なわれるという問題があった。
【先行技術文献】
【特許文献】
【０００８】
【特許文献１】特開２００７−７２０５３号公報
【発明の概要】
【発明が解決しようとする課題】
【０００９】  この発明は、上述の問題に鑑み、拡散板の伸縮による変形や破損の問題を生じず、かつ、拡散板の側辺と筐体側部内面との隙間を無くすか従来の製造上必要なクリアランスよりも小さくできる意匠性発光装置を提供し、利用者の満足度を向上させることを目的とする。
【課題を解決するための手段】
【００１０】  この発明は、発光表面が文字、図形、または模様を表す形状若しくはこれらの逆形状に形成されて光を拡散する光拡散意匠部と、前記光拡散意匠部に前記発光表面の裏側から光を照射する光源と、前記光拡散意匠部と前記光源を支持する筐体とを備え、前記光拡散意匠部は、前記発光表面より裏面の面積が小さくなるように側面に傾斜部若しくは湾曲部を備え、前記光拡散意匠部を前記筐体に対して厚み方向へ移動可能に支持する支持部を設けた意匠性発光装置であることを特徴とする。
【発明の効果】
【００１１】  この発明により、拡散板の伸縮による変形や破損の問題を生じず、かつ、拡散板の側辺と筐体側部内面との隙間を無くすか従来の製造上必要なクリアランスよりも小さくできる意匠性発光装置を提供することができる。
【図面の簡単な説明】
【００１２】
【図１】意匠性発光装置の正面と内部の説明図。
【図２】意匠性発光装置の縦断面による説明図。
【図３】光拡散意匠部の側辺と弾性部の説明図。
【図４】熱による進退動作の説明図。
【図５】実施例２の意匠性発光装置の縦断面による説明図。
【図６】傾斜面周辺のバリエーションの説明図。
【発明を実施するための形態】
【００１３】  本発明者は、箱文字（若しくはチャンネル文字）と呼ばれる立体文字形状の意匠性発光装置について、カバー筐体を無くして意匠性に優れたものを提供しようと、鋭意研究を重ねた。最初、発明者は、筐体の内側に嵌め込む拡散板の側辺と筐体側部内面との隙間（クリアランス）が、可能な限り小さくなるように製造した。そして、発明者は、隙間が小さすぎると、拡散板を筐体内にしっかり嵌め込めない問題を発見した。箱文字は、「Ｉ」のような簡単な形状だけでなく、「＆」や漢字のように複雑な形状もある。複雑な形状になるほど、拡散板を筐体内に嵌め込むことは難しい。従って、拡散板の側辺と筐体の側部内面との隙間を小さくすることは、製造面で限界があった。
【００１４】  出願人は、拡散板を筐体内に嵌め込める程度に筐体内面より小さく製造した。この状態で、従来のように筐体側面に拡散板を固定すると、熱による拡散板の膨張で筐体および拡散板に押圧力がかかる。この押圧力により、製品には、筐体または拡散板の破損が生じる問題があった。
【００１５】  そこで、出願人は、拡散板の裏面側を筐体側部ではなく筐体奥部に固定する方法を考えた。従来のように拡散板を筐体側部に固定すると、拡散板が少しでも膨張すると筐体側部をダイレクトに押圧する。しかし、筐体奥部に拡散板を固定する方法であれば、製造のために設けた隙間で拡散板が伸縮でき、拡散板が少々膨張しても筐体を押圧しない。このようにすることで、ある程度の美観と熱膨張への適応性を得ることができた。
【００１６】  しかし、拡散板の側辺と筐体の側部内面との間に隙間があるために、この隙間から光源の直接光が漏れ出る問題は生じる。そして、この隙間を全て均一に保つことは難しい。このため、この製品には、隙間から漏れ出る直接光が多い部位と少ない部位が生じ、意匠性発光装置の美観が損なわれる問題があった。    また、拡散板の側辺と筐体の側部内面との間の隙間をなるべく小さくしているために、夏場の日中に直射日光を受ける等の高熱によって拡散板が大きく膨張すると、筐体の変形、あるいは筐体や拡散板の破損が生じ得るという問題が残っていた。
【００１７】  そこで、本発明者は、さらに鋭意研究し、拡散板の面方向の伸縮を、拡散板の厚み方向への移動で吸収することを考えた。そして、拡散板の発光表面の面積に対して拡散板の裏面の面積が小さくなるように、拡散板の側辺に傾斜を設け、拡散板を筐体に対して出し入れ可能で筐体奥部へ向かって引きつける弾性部に取り付けた。こうすることで、拡散板が熱によって膨張すると、側辺の傾斜によって拡散板が筐体から出る方向へ移動し、拡散板が収縮すると、弾性部によって拡散板が筐体内部へ入る方向へ移動する構造を実現した。これにより、拡散板の側辺と筐体側部の内面が常に接触しているか近接している状態を維持でき、かつ、拡散板の伸縮を吸収することを実現した。
【００１８】  なお、この明細書において、「表面」および「発光表面」の用語は、拡散板から外部へ光を照射する発光面側の面を意味し、「裏面」の用語は、この「表面」および「発光表面」と反対側の面を意味する。  また、この明細書において、「正面」の用語は、人に見られる視認面側の面を意味し、「背面」の用語は、壁等のある設置面側の面を意味する。  従って、人に見られる視認面側に拡散板がある意匠性発光装置であれば、「表面」および「発光表面」の用語と「正面」の用語が指す面が一致し、「裏面」の用語と「背面」の用語が指す面が一致する。逆に、壁等のある設置面側に拡散板がある意匠性発光装置であれば、「表面」および「発光表面」の用語と「背面」の用語が指す面が一致し、「裏面」の用語と「正面」の用語が指す面が一致する。    以下、この発明の一実施形態を図面と共に説明する。
【実施例１】
【００１９】  この発明の意匠性発光装置は、様々な文字、図形、模様について適用できるが、実施例１では、一例としてセリフフォントの一種であるローマン体の文字「Ｄ」を例にとって説明する。【００２０】  図１（Ａ）は、意匠性発光装置１の正面図であり、図１（Ｂ）は、意匠性発光装置１の内部を示す正面図である。    図１（Ａ），（Ｂ）に示すように、意匠性発光装置１は、光拡散意匠部２と、光遮断部材となる筐体４と、筐体４の内部に収容される光源９とで主に構成されている。【００２１】  光拡散意匠部２は、ストロークによって描かれた文字、図形、又は模様の形状に切り取られた板状に形成されており、この実施例１では「Ｄ」形状に形成されている。なお、ストローク（英語：ｓｔｒｏｋｅ）とは、文字を構成する一画一画、図形または模様を構成する線など、文字、図形、または模様を構成する幅を有する線を指す。【００２２】  図１（Ｂ）に示すように、筐体４は、奥部６が光拡散意匠部２（図１（Ａ）参照）の発光表面２ａとほぼ同じ形状をした板状であり、この奥部６の側端辺から発光表面２ａ側に向かって直角に起立する深さ一定で厚み一定の側部５が設けられている。従って、筐体４は、光拡散意匠部２と同じ形状の開口４ａを表面に有し、側部５と奥部６によって表面以外が覆われる容器状に形成されている。筐体４の側部５は、ストロークの縁となる。【００２３】  筐体４の奥部６の内面には、反射面６ａが全面に設けられている。この反射面６ａは、光沢のある白色塗装（白色印刷を含む）により形成されている。この白色塗装は、光を反射する反射面として機能する。【００２４】  筐体４は、太陽光または／および光源９からの熱、あるいは周囲の気温といった温度の変化による膨張または収縮をしないか、この膨張または収縮の量が光拡散意匠部２よりも少なく、かつ、不透光の素材により形成されている。詳述すると、筐体４は、好ましくは金属素材によって形成され、より好ましくはステンレス素材によって形成されている。【００２５】  反射面６ａの表面側には、複数の光源９が設けられている。図示する光源９は、ＬＥＤであるが、これに限らずネオン管、発光部を有するフレキシブル基板、または発光部の光を導光する導光板等、適宜の光源を利用することができる。【００２６】  図２は、図１（Ａ）におけるＡ−Ａ切断端面を示す断面図である。    図２に示すように、筐体４の奥部６は、奥部６の内側に設けられた弾性部２０が裏面側からネジ２８（固定具）によって固定されている。弾性部２０の表面側には別のネジ３（固定具）が内から外へ挿入されており、このネジ３の先端が光拡散意匠部２の裏面に設けられた固定用凸部２ｋに挿入されてねじ止めにより固定されている。ネジ３，２８は、めっき等によって防錆加工がなされているかステンレス等のさびにくい素材のものとすることが好ましい。【００２７】  この固定用凸部２ｋ、ネジ３、弾性部２０、及びネジ２８は、筐体４内における側部５の近傍位置に配置されている。特に、この固定用凸部２ｋ、ネジ３、弾性部２０、及びネジ２８は、左右両方の側部５の近傍にそれぞれ対称に設けられることが好ましい。これにより、光拡散意匠部２をバランス良く奥部６へ向かって引きつけることを���現している。【００２８】  なお、図示では固定用凸部２ｋ、ネジ３、弾性部２０、及びネジ２８を左右対称（ストロークの幅方向に対称）に配置したが、箱文字としての筐体４の形状に応じて光拡散意匠部２をバランス良く奥部６へ向かって引きつけることができる適宜の位置に配置することができる。【００２９】  筐体４の奥部６の内面には、照明部８が固定されている。この照明部８には、光源９と、該光源による発光を制御する制御チップ８ｂと、制御チップ８ｂおよび光源９に電力を供給する電力線８ａとが備えられている。これにより、図示省略する電源から電力線８ａを通じて電力供給を受け、制御チップ８ｂの制御によって光源９を適切に点灯させることができる。この制御チップ８ｂおよび光源９は、防水加工がなされたものを用いることが好ましい。【００３０】  筐体４の側部５の内面は、反射面５ａが設けられている。この反射面５ａは、光沢のある白色塗装によって形成されている。また、反射面５ａと反射面６ａによって囲まれる空間は、光反射空間１０として機能する。なお、反射面５ａと反射面６ａは、白色に限らず適宜の色とすることができる。また、反射面５ａと反射面６ａは、塗装に限らず印刷とする、あるいは反射フィルムで構成するなど、適宜の構成とすることができる。【００３１】  光源９から発せられた光は、側部内面の反射面５ａと奥部内面の反射面６ａとにより、光反射空間１０内で様々な方向に反射される。これにより、光拡散意匠部２には、光源９からの直接光と、反射面５ａや反射面６ａによる反射光が裏面から入射する。つまり、光拡散意匠部２には、様々な方向からの面光が入射する。【００３２】  光拡散意匠部２は、透過する光を拡散する拡散板により形成されており、より詳しくは乳白色で半透明のアクリル板により形成されている。この光拡散意匠部２は、太陽光または／および光源９からの熱、あるいは周囲の気温といった温度の変化によって膨張または収縮をするものであり、その膨張または収縮の量が筐体４よりも大きいものである。【００３３】  光拡散意匠部２の厚みは、看者が正面から見て少なくとも光源９の形状を認識できない程度以上に光を拡散できる厚みに構成されている。この構成により、光拡散意匠部２は、入射した光を拡散して透過する。従って、光源９が発光した状態のとき、光拡散意匠部２は、白く光って視認される。この光拡散意匠部２を透過した光は、面光となる。【００３４】  なお、この実施例では拡散板のみの単一層として光拡散意匠部２を構成しているが、これに限らず、透明のアクリル板等で構成された透過板を拡散板に重ねて光拡散意匠部２とする、あるいはさらにフィルムを重ねて光拡散意匠部２とすることで多層構造とするなど、光を透過しかつ拡散する適宜の構成とすることができる。なお、拡散板および透過板は、アクリル板に限らず、ガラス板やプラスチック板等、透過する光を拡散する適宜の素材の板状部材により形成することができる。【００３５】  図３（Ａ）は、光拡散意匠部２の側辺近傍を示す拡大縦断面図であり、図３（Ｂ）は、弾性部２０の構造を示す縦断面図である。    図３（Ａ）に示すように、光拡散意匠部２の側辺には、傾斜面２ｂ（傾斜部）が形成されている。この傾斜面��ｂは、光拡散意匠部２の発光表面（図３（Ａ）の上面）から裏面（図３（Ａ）の下面）に向かって側辺が内側へ落ち込むように傾斜配置されている。従って、図２に示すように発光表面２ａは裏面２ｃよりも面積が広い。また、光拡散意匠部２は、発光表面２ａが開口４ａより表面側に突出した位置で、かつ、裏面２ｃが開口４ａより奥側に後退した位置となるように配置されている。この配置により、拡散意匠部２の傾斜面２ｂは、筐体４の開口４ａに当接する。【００３６】  この傾斜面２ｂは、光拡散意匠部２の周方向全体に同一角度で連続して設けられている。従って、筐体４の開口４ａの内周のサイズは、光拡散意匠部２の裏面２ｃより大きく、かつ、発光表面２ａより小さく形成されている。【００３７】  熱膨張していない状態の光拡散意匠部２は、傾斜面２ｂのうち発光表面２ａ近傍の位置が側部５の発光表面側端の内側角に当接する。傾斜面２ｂが側部５の内面となす角度である傾斜角θは、光拡散意匠部２が筐体４に安定して当接でき、かつ、光拡散意匠部２の膨張や収縮によって光拡散意匠部２が突出や後退をある程度スムーズに行う角度とすることが好ましい。この傾斜角θは、例えば４５°以下とすることができ、３０°以下が好ましく、１５°以下がより好ましく、１０°以下がさらに好ましい。また、傾斜角θは、傾斜を有する必要があり、１°以上が好ましく、３°以上がより好ましく、５°以上がさらに好ましい。具体的には、８°や１０°等の適宜の角度とすることができる。【００３８】  図３（Ｂ）に示すように、弾性部２０は、ボックス状の弾性部筐体２１の表面側に孔２１ａが設けられ、この孔２１ａに内側から外側へ向けてネジ３が挿入されている。ネジ３の中央部分にはネジ山の無いシャフト部３ａが設けられている。孔２１ａの大きさは、シャフト部３ａの直径よりも少し大きく形成されている。このため、シャフト部３ａは、孔２１ａから自由に突出および後退するスライド移動ができる。【００３９】  弾性部筐体２１の表面部の内面には、孔２１ａよりも半径大のつるまきバネ２２の一端が当接している。つるまきバネ２２は、ステンレス等のさびにくい素材によって、光拡散意匠部２の熱膨張や収縮によって光拡散意匠部２が突出および後退する距離よりも長く形成されている。光拡散意匠部２が最も収縮して筐体４裏面側へ最も後退した状態でも、弾性力を有してまだ大きく伸びることができる配置とされている。また、光拡散意匠部２が最も膨張して筐体４の表面側へ最も突出した状態でも、弾性力を有してまだ小さく縮むことができる配置とされている。【００４０】  弾性部筐体２１の内部には、表裏方向へ移動可能なスライド板２３が設けられている。スライド板２３の表面側には、つるまきバネ２２の他端が当接している。スライド板２３の孔２３ａには、裏面側から表面へ向かってネジ３が挿入されねじ止めされている。【００４１】  弾性部筐体２１の奥部は、筐体４（図２参照）の奥部６の内面に当接し、奥部６の外側からネジ２８によってねじ止めされている。【００４２】  これにより、弾性部筐体２１が奥部６に固定され、この弾性部筐体２１の表面からネジ３が突出および後退する。つるまきバネ２２は、一端が弾性部筐体２１の表面部の内面に当接し、他端がスライド板２３の表面に当接しているため、スライド板２３にねじ止めされたネジ２８を裏面方向（図３（Ｂ）の図示下方向）へ押圧する。従って、ネジ３の先端がねじ止めされている光拡散意匠部２が発光表面２ａ側へ押し出されると、これを裏面側へ引き戻すようにつるまきバネ２２が機能する。【００４３】  以上の構成を有する意匠性発光装置１は、図４の動作説明図に示すように、熱膨張の程度に応じて光拡散意匠部２が表面側へ突出することができる。    図４（Ａ）に示す状態で光拡散意匠部２が熱膨張すると、側辺に設けられた傾斜面２ｂが筐体４の側部５の発光表面側端を押圧する。すると、この押圧力と傾斜面２ｂの傾斜により、図４（Ｂ）に示すように光拡散意匠部２が全体として表面へ突出するように移動する。光拡散意匠部２がさらに熱膨張すると、図４（Ｃ）に示すように光拡散意匠部２が全体として表面へさらに突出するように移動する。気温の低下等によって光拡散意匠部２が収縮した場合、弾性部２０により光拡散意匠部２が常時裏面側へ引きつけられていることにより光拡散意匠部２が裏面へ後退するように移動し、図４（Ｃ）の状態から図４（Ｂ）の状態、さらに図４（Ａ）の状態へと変化する。このように突出および後退しても、筐体４の開口４ａと光拡散意匠部２の傾斜面２ｂとが当接している接点を周方向に連続させた当接線の形状は常に一定に保たれ、光拡散意匠部２と筐体４が隙間なく当接し続けることができる。【００４４】  以上の構成により、意匠性発光装置１は、光拡散意匠部２の側辺である傾斜面２ｂと筐体４の側部５の内面との隙間を、無くすか従来の製造上必要なクリアランスよりも小さくできる。【００４５】  また、意匠性発光装置１は、筐体４が熱膨張せずに光拡散意匠部２が熱膨張し、あるいはその逆で筐体４が収縮せずに光拡散意匠部２が収縮しても、筐体４と光拡散意匠部２が変形して元に戻らなくなることと破損することを防止できる。【００４６】  また、意匠性発光装置１は、筐体４が熱膨張せずに光拡散意匠部２が熱膨張し、あるいはその逆で筐体４が収縮せずに光拡散意匠部２が収縮しても、筐体４と光拡散意匠部２との間に隙間（クリアランス）が生じることを防止でき、埃や塵の内部への混入を防止できるとともに、光源９（図２参照）からの直接光（光拡散意匠部２によって拡散されていない光を指し、反射光も含む）が外部へ漏れ出ることを防止できる。【００４７】  また、意匠性発光装置１は、筐体４と光拡散意匠部２との間の隙間を防止する構造により、屋外設置した場合に降雨があっても内部に大量の雨水が入ることを防止できる。また、ネジ３，２８とつるまきバネ２２をさびにくい素材とし、光源９と制御チップ８ｂを防水加工しているため、意匠性発光装置１は、雨水等によって故障することなく屋外で長期間使用することができる。
【実施例２】
【００４８】  図５は、実施例２の意匠性発光装置５１の断面図を示す。この断面図は、図１（Ａ）におけるＡ−Ａ切断端面を示している。    意匠性発光装置５１は、実施例１の意匠性発光装置１において拡散板で形成した光拡散意匠部２の代わりに、特殊発光樹脂を用いたルミレター（登録商標）と呼ばれる光拡散意匠部５２を備えている。特殊発光樹脂は、乳化剤または拡散剤が入ったアクリルであり、光を拡散する拡散部材として機能する。【００４９】  光拡散意匠部５２は、発光表面５２ａが裏面５２ｃよりも面積が広く、側辺に傾斜面５２ｂが設けられている。この光拡散意匠部５２は、筐体４内部の多くを埋める大きさに形成され、図示する例では筐体４の深さ（図５の上下方向の長さ）の４分の３程度の厚みに形成されている。これにより、光拡散意匠部５２は、光源５９からの光を受けて発光表面５２ａ、傾斜面５２ｂ（側面）、および裏面５２ｃの全面が略均一に発光する。【００５０】  光拡散意匠部５２の裏面５２ｃには、筐体４の２つの側部５の各近傍位置で、２つのネジ３Ａの先端がそれぞれ挿入された状態でねじ止めにより固定されている。また、光拡散意匠部５２の裏面５２ｃには、中央付近に照明部５８が固定されている。この照明部５８には、光源５９と、該光源５９に電力を供給する電力線５８ａが設けられている。【００５１】  電力線５８ａは、筐体４の奥部６から外部に導出され、図示省略する外部の電源から光源９へ電力を供給する。電力線５８ａは、奥部６より内側でたるみ部分５８ｂを設けている。このたるみ部分５８ｂにより、光拡散意匠部５２が突出方向や後退方向へ移動することを電力線５８ａが妨げないようにしている。【００５２】  光源５９は、制御部を有するＬＥＤにより構成されている。なお、図示では光源５９をストロークの幅方向（図５における左右方向）中央に１つ設けたが、ストロークの幅方向に分散して２つ設けるなど、適宜の個数を設けると良い。【００５３】  ネジ３Ａは、実施例１のネジ３に比べて、光拡散意匠部５２が実施例１の光拡散意匠部２より厚くなった分だけ短く形成されている。    その他の構成は、実施例１と同一であるため、同一要素に同一符号を付してその詳細な説明を省略する。【００５４】  以上の構成により、実施例２の意匠性発光装置５１は、実施例１と同一の効果を奏することができる。
【実施例３】
【００５５】  図６は、実施例１に説明した光拡散意匠部２の傾斜面２ｂ付近の加工のバリエーションを断面図により説明する説明図である。【００５６】  図６（Ａ）は、傾斜面２ｂの発光表面２ａ側に側部５と平行な鉛直面２ｄを設けた光拡散意匠部２Ａの拡大縦断面図を示している。【００５７】  図６（Ｂ）は、傾斜面２ｂの発光表面２ａと鉛直面２ｄの角を面取りして面取り部２ｅを設け、傾斜面２ｂの裏面２ｃ側に側部５と平行な鉛直面２ｆを設けた光拡散意匠部２Ｂの拡大縦断面図を示している。【００５８】  図６（Ｃ）は、傾斜面２ｂの発光表面２ａ側にストロークの幅方向（図６の左右方向）に突出して側部５を覆う突出部２ｇを設けた光拡散意匠部２Ｃの拡大縦断面図を示している。【００５９】  図６（Ｄ）は、傾斜面２ｂの代わりに湾曲面２ｈ（湾曲部）を設けた光拡散意匠部２Ｄの拡大縦断面図を示している。この湾曲面２ｈは、光拡散意匠部２Ｄの内部へ向かって凸となる湾曲であり、光拡散意匠部２Ｄの周方向全体に同一角度で連続して設けられている。【００６０】  図６（Ｅ）は、湾曲面２ｈの発光表面２ａ側に側部５と平行な鉛直面２ｄを設けた光拡散意匠部２Ｅの拡大縦断面図を示している。【００６１】  図６（Ｆ）は、湾曲面２ｈの発光表面２ａ側にストロークの幅方向（図６の左右方向）に突出して側部５を覆う突出部２ｇを設け、この突出部２ｇの発光表面２ａと鉛直面２ｄとの角を湾曲させた湾曲角部２ｉを設けた光拡散意匠部２Ｆの拡大縦断面図を示している。【００６２】  これら図６（Ａ）〜図６（Ｆ）に示すように、光拡散意匠部２（２Ａ〜２Ｆ）の側辺（２ａ〜２ｉ）は、傾斜面２ｂまたは湾曲面２ｈさえ有していれば、様々な加工を施すことができる。これらの形状であっても、傾斜面２ｂまたは湾曲面２ｈをストロークの幅方向に対称（図６に示す左右対称）に形成（つまり、表裏方向の高さが同じで傾斜または湾曲がストロークの幅方向に逆）している限り、実施例１と同一の作用効果を奏することができる。【００６３】  なお、実施例２の意匠性発光装置５１の傾斜面５２ｂ付近を図６（Ａ）〜図６（Ｆ）に示すように加工してもよい。この場合、実施例２と同一の作用効果を奏することができる。【００６４】  この発明は、上述の実施形態の構成のみに限定されるものではなく、多くの実施の形態を得ることができる。【００６５】  例えば、弾性部として用いたつるまきバネ２２は、これに限らず板バネ等の他のバネとする、あるいはゴムまたは樹脂とするなど、適宜の弾性体により形成できる。    また、弾性部２０は、上述した構成に限らず、光拡散意匠部２を筐体４の奥部６へ向かって引きつける適宜の構造とすることができる。その際、実施例１に示したシャフト部３ａと孔２１ａのように光拡散意匠部２が発光表面２ａ側へ突出および裏面２ｃ側へ後退するスライド移動をガイドする適宜のスライドガイド部を設けてもよく、また設けなくても良い。スライドガイド部を設けた場合には、スライド移動をスムーズに行うことができ、スライドガイド部を設けなかった場合には、製造コストの削減を行うことができる。【００６６】  また、ネジ３（若しくはネジ３Ａ）と弾性部２０とネジ２８によって構成される支持部は、上述した実施例の構造に��らず、光拡散意匠部２が筐体４に対して発光表面２ａ側へ突出および裏面２ｃ側へ後退でき、かつ、光拡散意匠部２を筐体４の奥部６へ向かって引きつける機能を実現する適宜の構造とすることができる。【００６７】  また、正面に配置していた光拡散意匠部（２，２Ａ，２Ｂ，２Ｃ，２Ｄ，２Ｅ，２Ｆ，５２）を表裏反転して背面に配置し、変わりに筐体４を表裏反転して正面に配置してもよい。この場合、ネジ２８により光拡散意匠部（２，２Ａ，２Ｂ，２Ｃ，２Ｄ，２Ｅ，２Ｆ，５２）を固定し、筐体４の奥部６をネジ２８では固定せずネジ２８用の孔も備えない構成として奥部６の外側面を意匠面として綺麗に仕上げると良い。そして、電力線８ａ，５８ａも、光拡散意匠部（２，２Ａ，２Ｂ，２Ｃ，２Ｄ，２Ｅ，２Ｆ，５２）の幅方向中央に孔を形成してこの孔から外部へ導出すればよい。また、この場合、筐体４と光拡散意匠部（２，２Ａ，２Ｂ，２Ｃ，２Ｄ，２Ｅ，２Ｆ，５２）を左右が逆になる逆形状に形成して、筐体４の奥部６を外側から視認すると正しい文字等を視認できるように構成する。これにより、筐体４の奥部６が文字等の意匠を表し、この光拡散意匠部（２，２Ａ，２Ｂ，２Ｃ，２Ｄ，２Ｅ，２Ｆ，５２）から壁等に向かって照射される光が筐体４の周辺を照らして縁が光る文字等の美観を得ることができる。このように構成した場合も、上述した各実施例と同じ効果を得ることができる。【００６８】  なお、このように表裏反転した場合、光拡散意匠部（２，２Ａ，２Ｂ，２Ｃ，２Ｄ，２Ｅ，２Ｆ，５２）に拡散板ではなく透明板を用いても良い。透明板を用いた場合は、直接的な強い光を意匠性発光装置１，５１の背面（光拡散意匠部のある面）から壁等の設置対象物に対して照射することができる。
【産業上の利用可能性】
【００６９】  この発明は、箱文字とよばれる立体文字形状等に形成された照明装置に利用することができ、他にも店名やロゴの照明サインや照明広告等に用いることができる
【符号の説明】
【００７０】１，５１…意匠性発光装置２，２Ａ，２Ｂ，２Ｃ，２Ｄ，２Ｅ，２Ｆ，５２…光拡散意匠部２ａ，５２ａ…発光表面２ｂ，５２ｂ…傾斜面２ｃ，５２ｃ…裏面２ｈ…湾曲面３，３Ａ，２８…ネジ４…筐体４ａ…開口５…側部６…奥部９，５９…光源２０…弾性部
【図１】
2015173845.tif 000003
【図２】
2015173845.tif 000004
【図３】
2015173845.tif 000005
【図４】
2015173845.tif 000006
【図５】
2015173845.tif 000007
【図６】
2015173845.tif 000008
【国際調査報告】
2015173845.tif 000009
2015173845.tif 000010
2015173845.tif 000011
2015173845.tif 000012